(57)【特許請求の範囲】
【請求項１】
ケースから外側に延びる第１のアンテナ体と、前記ケース内に形成され、前記第１のアンテナ体とチューナを介して電気的に接続される第２のアンテナ体を備え、前記第１のアンテナ体と前記第２のアンテナ体はともに前記チューナ部に接続されてダイポールアンテナを構成する受信装置において、前記第２のアンテナ体は、前記ケース内に配置された導体からなるアンテナエレメントであり、
前記導体は、表示部の光源装置に沿って延びた始動性改善電極であることを特徴とする受信装置。
【発明の詳細な説明】
【０００１】
【発明の属する技術分野】
本発明は、受信機およびテレビジョン受信機に関するものである。さらに詳しくは、受信機およびテレビジョン受信機の回路構成に関するものである。
【０００２】
【従来の技術】
携帯型テレビジョン受信機では、従来、モノポールアンテナが使用されているとともに、携帯型テレビジョン受信機の使い勝手などを考慮して、モノポールアンテナの長さを６０ｃｍ前後に抑えてある。
【０００３】
【発明が解決しようとする課題】
しかしながら、従来の携帯型テレビジョン受信機のように、６０ｃｍ前後もあるアンテナでは使い勝手がまだまだ悪いという問題点がある。また、６０ｃｍ前後のモノポールアンテナでは、ＶＨＦローチャンネルを良好に受信するのに必要な８３ｃｍ（ＶＨＦローチャンネルの受信最低周波数である９０ＭＨｚの１／４波長）に達していないため、受信感度も低いという問題点がある。
【０００４】
但し、地上波デジタルＴＶが導入されるにあたって、その放送チャンネルがＵＨＦ帯の１３〜４５チャンネルに限定される予定である。このような限定の結果、受信最低周波数が４７０ＭＨｚとなるため、小型の携帯型テレビジョン受信機にとってはアンテナを短くできるので好ましい。しかしながら、受信最低周波数が、たとえ４７０ＭＨｚとなっても、携帯型テレビジョン装置内には、十分なアンテナ利得を得ることができるほど広いグランド面を確保しようとすると装置本体の小型化が実現できないという問題点がある。
【０００５】
以上の問題点に鑑みて、本発明では、ケース外に延びるアンテナを短くしても高いアンテナ利得を得ることができ、さらに装置本体の小型化を実現することができる受信装置およびテレビジョン受信機を提供することにある。
【０００６】
【課題を解決するための手段】
上記課題を解決するため、本発明の受信装置は、ケースから外側に延びる第１のアンテナ体と、前記ケース内に形成され、前記第１のアンテナ体とチューナを介して電気的に接続される第２のアンテナ体を備え、前記第１のアンテナ体と前記第２のアンテナ体はともに前記チューナー部に接続されてダイポールアンテナを構成する受信装置において、前記第２のアンテナ体は、前記ケース内に配置された導体からなるアンテナエレメントであることを特徴とする。
【０００７】
本発明では、アンテナとしてダイポールアンテナを用いるとともに、このアンテナ体を構成する第１のアンテナ体および第２のアンテナ体のうち、第２のアンテナ体については、受信装置のケース内に配置する。このため、本発明によれば、モノポールアンテナを用いる場合と違って、ケース内に広いグランド面を確保しなくても、高いアンテナ利得を得ることができる。また、アンテナ利得の面からダイポールアンテナの長さを十分に確保したとしても、本発明では、ダイポールアンテナを構成する第１のアンテナ体および第２のアンテナ体のうち、第２のアンテナ体についてはケース内に配置するので、ケースから外に延びるアンテナ部分の長さは、基本的には、ダイポールアンテナの全長の１／２で済む。従って、本発明によれば、ケースから外に延びるアンテナ部分が短いので、携帯に便利であり、かつ、ＵＨＦ帯であればその全域にわたって高いアンテナ利得を得ることができる。
【０００９】
本発明において、前記第２のアンテナ体は、前記ケース内の配線基板上に形成された導電パターンを利用してもよい。このように構成すると、第２のアンテナ体として新たな部材をケース内に追加する必要がないので、装置本体を小型化できる。
【００１０】
本発明において、前記第２のアンテナ体は、前記ケース内に配置された表示部の光源装置に沿って延びた始動性改善電極を利用してもよい。このように構成すると、第２のアンテナ体として新たな部材をケース内に追加する必要がないので、装置本体を小型化できる。
【００１２】
本発明において、前記第２のアンテナ体は、前記ケースに配置された電池を利用してもよい。このように構成すると、第２のアンテナ体として新たな部材をケース内に追加する必要がないので、装置本体を小型化できる。
【００１３】
本発明において、ケースから外側に延びる第１のアンテナ体と、前記ケース内に形成され、前記第１のアンテナ体とチューナを介して電気的に接続される第２のアンテナ体を備え、前記第１のアンテナ体と前記第２のアンテナ体はともに前記チューナー部に接続されてダイポールアンテナを構成する受信装置において、前記第２のアンテナ体には延長コイル（第１の延長コイル）を接続してもよい。
【００１４】
本発明において、ケースから外側に延びる第１のアンテナ体と、前記ケース内に形成され、前記第１のアンテナ体とチューナを介して電気的に接続される第２のアンテナ体を備え、前記第１のアンテナ体と前記第２のアンテナ体はともに前記チューナー部に接続されてダイポールアンテナを構成する受信装置において、前記第１のアンテナ体と前記チューナー部との間にも延長コイル（第２の延長コイル）を接続してもよい。
【００１５】
このような構成を採用したとき、前記延長コイルは、選局結果に基いてインダクタンスが切り換えられる可変コイルを用いることが好ましい。このように構成すると、ＵＨＦ帯のハイチャンネルを受信するとき、延長コイルをそのまま用いることによりアンテナ長を短くできる。
【００１６】
また、前記延長コイルに対しては、該延長コイルを選局結果に基いて当該延長コイルの全体、あるいはその一部を回路的に無効にする切り換え回路が構成されていることが好ましい。このように構成すると、ＵＨＦ帯のハイチャンネルを受信するとき、延長コイルをそのまま用いることによりアンテナ長を短くできる。
【００１７】
このような切り換え回路は、前記延長コイルの全体あるいは一部に並列に電気的に接続されたダイオードを用いて構成できる。すなわち、前記ダイオードは、バイアス印加により前記延長コイルの全体あるいは一部を短絡させることにより当該延長コイルの全体あるいは一部を回路的に無効にする。
【００１８】
このような受信装置は、たとえばテレビジョン受信機として構成される。
【００１９】
【発明の実施の形態】
図面を参照して、本発明を適用した受信装置の一例としての携帯型テレビジョン受信機を説明する。なお、各実施の形態の説明に先立って、各実施の形態で共通な構成を説明しておく。
【００２０】
［共通構成］
図１（Ａ）、（Ｂ）、（Ｃ）は各々、本発明が適用されるテレビジョン受信機の外観を示す平面図、左側面図および右側面図である。図２および図３は、このテレビジョン受信機内の要部の構成を示す説明図、およびこのテレビジョン受信機の回路構成の要部を示すブロック図である。
【００２１】
図１（Ａ）、（Ｂ）、（Ｃ）において、本形態のテレビジョン受信機１は、縦長の受信装置本体２と、ロッドアンテナ３１とを有している。
【００２２】
ロッドアンテナ３１は、携帯時には、装置本体２の左側面部２１に収納された状態にあり、ロッドアンテナ３１を基端部で１８０度回転させることにより、図１（Ａ）に点線で示すように、装置本体２から上方に約１６ｃｍの長さまで引き出すことができる。
【００２３】
装置本体２の上面部２２には、液晶装置４の表示部４１が配置されており、受信したテレビ画像を見ることができる。表示部４１の下方位置には、選局用のチャンネルボタン１２などが配置され、その下方位置にはスピーカ１３が配置されている。
【００２４】
また、装置本体２の右側面部２３には、明るさ調整スイッチ１４、ＡＶ入力部１５、電源スイッチ１６、液晶装置に対するバックライト点灯スイッチ１７が配置されている。
【００２５】
さらに、装置本体２の底面部２４には蓋１８が構成され、装置本体２に内蔵している電池（図示せず）を交換することが可能である。
【００２６】
図２に示すように、本形態のテレビジョン受信機１において、装置本体２のケース２０の内部には液晶表示装置４が配置されているとともに、２つの電池５１、５２が２個、直列に配置されている。
【００２７】
また、図３に示すように、ケース２０の内部では、電池５１、５２から所定の電源を生成する電源回路６１、チューナー部６２および復調回路６３が構成された回路基板６が搭載され、この回路基板６に構成されている復調回路６３から液晶表示装置４に画像信号が出力されるとともに、スピーカ１３に対して音声信号が出力される。
【００２８】
このように構成したテレビジョン受信機１に関して、本発明は、アンテナの構造に特徴を有しているので、以下、各実施の形態におけるアンテナの構造を中心に説明する。
【００２９】
［実施の形態１］
図４は、本発明の実施の形態１に係るテレビジョン受信機１における特徴部分を示す説明図である。
【００３０】
図４において、本形態のテレビジョン受信機１では、ケース２０から外側に延びる長さ１６ｃｍ（４７０ＭＨｚの１／４波長）のロッドアンテナ３１を第１のアンテナ体とし、このロッドアンテナ３１と１つのダイポールアンテナ３を構成する第２のアンテナ体をケース２０内に配置している。すなわち、ケース２０内には、このケース２０の右側面部に沿って金属製の棒（導体）からなるアンテナエレメント３２が配置され、このアンテナエレメント３２は、回路基板６上のチューナー部６２に電気的に接続されているため、ロッドアンテナ３１と反対側に延びる第２のアンテナ体として機能する。
【００３１】
このように、本形態では、ダイポールアンテナ３を用いているため、モノポールアンテナを用いた場合と違って、ケース２０内に広いグランド面を確保しなくてもよい。従って、装置本体２の小型化を図ることができる。また、アンテナ利得の面からダイポールアンテナ３の長さを十分に確保したとしても、本形態では、ダイポールアンテナ３を構成するロッドアンテナ３１（第１のアンテナ体）およびアンテナエレメント３２（第２のアンテナ体）のうち、第２のアンテナ体としてのアンテナエレメント３２についてはケース２０内に配置するので、ケース２０から外に延びるアンテナ部分の長さは、基本的には、ダイポールアンテナ３の全長の１／２で済む。従って、本形態によれば、ケース２０から外に延びるアンテナ部分が短いので、携帯に便利であり、かつ、ＵＨＦ帯であればその全域にわたって高いアンテナ利得を得ることができる。
【００３２】
［実施の形態２］
図５は、本発明の実施の形態２に係るテレビジョン受信機１における特徴部分を示す説明図である。
【００３３】
図５において、本形態のテレビジョン受信機１でも、ケース２０から外側に延びる長さ１６ｃｍのロッドアンテナ３１を第１のアンテナ体とし、このロッドアンテナ３１と１つのダイポールアンテナ３を構成する第２のアンテナ体をケース２０内に配置している。すなわち、ケース２０内に配置された回路基板６には、各種の電子部品６９が実装されているとともに、このケース２０の右側面部２１に沿って導電パターン３３が第２のアンテナ体として形成され、この導電パターン３３は、チューナー部６２に電気的に接続されているため、ロッドアンテナ３１と反対側に延びる第２のアンテナ体として機能する。
【００３４】
このように、本形態でも、ダイポールアンテナ３を用いているため、モノポールアンテナを用いた場合と違って、ケース２０内に広いグランド面を確保しなくてもよい。従って、装置本体２の小型化を図ることができる。
【００３５】
また、ダイポールアンテナ３の長さを十分に確保したとしても、本形態では、ケース２０内に配置された回路基板６に対して、第２のアンテナ体としての導電パターン３３を形成したので、ケース２０から外に延びるアンテナ部分の長さは、基本的には、ダイポールアンテナ３の全長の１／２で済む。従って、本形態によれば、ケース２０から外に延びるアンテナ部分が短いので、携帯に便利であり、かつ、ＵＨＦ帯であればその全域にわたって高いアンテナ利得を得ることができる。
【００３６】
さらに、第２のアンテナ体として新たな部材をケース２０内に追加する必要がないので、装置本体２を小型化できる。
【００３７】
［実施の形態３］
図６は、本発明の実施の形態３に係るテレビジョン受信機１における特徴部分を示す説明図である。
【００３８】
図６において、本形態のテレビジョン受信機１では、装置本体２に構成された液晶装置４にバックライト用の光源装置が用いられ、この光源装置の光源としては、Ｌ字形状に折れ曲がった蛍光管４５が使用されている。この光源装置では、蛍光管４５に沿って始動性改善電極３４が形成されている。そこで、本形態では、この始動性改善電極３４をチューナー部６２に電気的に接続することによって、この始動性改善電極３４を、長さ１６ｃｍのロッドアンテナ３１（第１のアンテナ体）と反対方向に延びてこのロッドアンテナ３１と１つのダイポールアンテナ３を構成する第２のアンテナ体として利用している。
【００３９】
このように、本形態でも、ダイポールアンテナ３を用いているため、モノポールアンテナを用いた場合と違って、ケース２０内に広いグランド面を確保しなくてもよい。従って、装置本体２の小型化を図ることができる。また、アンテナ利得の面からダイポールアンテナ３の長さを十分に確保したとしても、本形態では、ケース２０内で蛍光管４５に形成されている始動性改善電極３４を第２のアンテナ体として用いたので、ケース２０から外に延びるアンテナ部分の長さは、基本的には、ダイポールアンテナ３の全長の１／２で済む。従って、本形態によれば、ケース２０から外に延びるアンテナ部分が短いので、携帯に便利であり、かつ、高いアンテナ利得を得ることができる。さらに、第２のアンテナ体として新たな部材をケース２０内に追加する必要がないので、装置本体２を小型化できる。
【００４０】
［実施の形態４］
図７は、本発明の実施の形態４に係るテレビジョン受信機１における特徴部分を示す説明図である。
【００４１】
図７において、本形態のテレビジョン受信機１でも、ケース２０から外側に延びる長さ１６ｃｍのロッドアンテナ３１を第１のアンテナ体とし、このロッドアンテナ３１と１つのダイポールアンテナ３を構成する第２のアンテナ体をケース２０内に配置している。すなわち、ケース２０の内周面にはめっき層３５が形成され、このめっき層３５は、チューナー部６２に電気的に接続されているため、ロッドアンテナ３１と反対側に延びる第２のアンテナ体として機能する。
【００４２】
このように、本形態でも、ダイポールアンテナ３を用いているため、ケース２０内に広いグランド面を確保しなくてもよい。従って、装置本体２の小型化を図ることができる。また、アンテナ利得の面からダイポールアンテナ３の長さを十分に確保したとしても、本形態では、ケース２０の内周面に対して、第２のアンテナ体としてのめっき層３５を形成したので、ケース２０から外に延びるアンテナ部分の長さは、基本的には、ダイポールアンテナ３の全長の１／２で済む。従って、本形態によれば、ケース２０から外に延びるアンテナ部分が短いので、携帯に便利であり、かつ、高いアンテナ利得を得ることができる。さらに、第２のアンテナ体として新たな部材をケース２０内に追加する必要がないので、装置本体２を小型化できる。
【００４３】
［実施の形態５］
図８は、本発明の実施の形態５に係るテレビジョン受信機１における特徴部分を示す説明図である。
【００４４】
図８において、本形態のテレビジョン受信機１でも、ケース２０から外側に延びる長さ１６ｃｍのロッドアンテナ３１を第１のアンテナ体とし、このロッドアンテナ３１と１つのダイポールアンテナ３を構成する第２のアンテナ体をケース２０内に配置している。すなわち、ケース２０の内部には２本の電池５１、５２が直列に接続され、かつ、電池５１の一方の極５１１は、チューナー部６２に電気的に接続されているため、２本の電池５１、５２は、ロッドアンテナ３１と反対側に延びる第２のアンテナ体として機能する。ここで、２本の電池５１、５２は、単３サイズの電池の場合、これらの電池５１、５２を固定するためのばね（図示せず）を含めて約１２ｃｍのアンテナ体として機能するため、ＵＨＦ帯の３９チャンネル（周波数６２５ＭＨｚ）に対して最適なダイポールアンテナ３を構成することができる。
【００４５】
なお、チューナー部６２と電池５１の一方の極５１１との間には直流成分をカットするキャパシタ６６が接続されている。
【００４６】
また、電池５１の一方の極５１１と電源回路６１との間、および電池５２の他方の極５２２とグランドとの間には、このテレビジョン受信機１が受信を予定しているＵＨＦ帯に対して十分に高いインピーダンスを有するチョークコイル６７、６８が接続されている。
【００４７】
このように、本形態でも、ダイポールアンテナ３を用いているため、モノポールアンテナを用いた場合と違って、ケース２０内に広いグランド面を確保しなくてもよい。従って、装置本体２の小型化を図ることができる。また、アンテナ利得の面からダイポールアンテナ３の長さを十分に確保したとしても、本形態では、ケース２０の内部に配置されている２つの電池５１、５２を第２のアンテナ体として利用したので、ケース２０から外に延びるアンテナ部分の長さは、基本的には、ダイポールアンテナ３の全長の１／２で済む。従って、本形態によれば、ケース２０から外に延びるアンテナ部分が短いので、携帯に便利であり、かつ、高いアンテナ利得を得ることができる。さらに、第２のアンテナ体として新たな部材をケース２０内に追加する必要がないので、装置本体２を小型化できる。
【００４８】
［実施の形態６］
以下に説明する実施の形態６、７、８はそれぞれ、前記の実施の形態１〜５のいずれにも適用できるが、以下の説明では、実施の形態５に対して適用した例を説明する。
【００４９】
図９は、本発明の実施の形態６に係るテレビジョン受信機１における特徴部分を示す説明図である。
【００５０】
図９において、本形態のテレビジョン受信機１は、基本的な構成が実施の形態５と同様であり、ケース２０の内部に配置された２本の電池５１、５２は、一方の極５１１がチューナー部６２に電気的に接続されているため、長さ１６ｃｍのロッドアンテナ３１と反対側に延びる第２のアンテナ体として機能する。ここで、２本の電池５１、５２は、この電池を固定するためのばね（図示せず）を含めて約１２ｃｍのアンテナ体として機能する。
【００５１】
なお、本形態でも、チューナー部６２と電池５１の一方の極５１１との間には直流成分をカットするキャパシタ６６が接続されている。また、電池５１の一方の極５１１と電源回路６１との間、および電池５２の他方の極５２２とグランドとの間には、このテレビジョン受信機１が受信を予定しているＵＨＦ帯に対して十分に高いインピーダンスを有するチョークコイル６７、６８が接続されている。
【００５２】
さらに、本形態では、チューナー部６２と電池５１の一方の極５１１との間には、直流分をカットするキャパシタ６６とともに、延長コイル３６（第１の延長コイル）が配置され、この延長コイル３６は、第２のアンテナ体の一部として機能する。
【００５３】
ここで、２本の電池５１、５２は、これらの電池５１、５２を固定するためのばね（図示せず）を含めて約１２ｃｍのアンテナ体として機能するため、周波数が４７０ＭＨｚに対しても、４ｃｍのアンテナ長に相当する延長コイル３６で対応することができる。
【００５４】
このように、本形態でも、ダイポールアンテナ３を用いているため、ケース２０内に広いグランド面を確保しなくてもよいので、装置本体２の小型化を図ることができる。また、２つの電池５１、５２を第２のアンテナ体とし、それに延長コイル３６を接続したので、ケース２０から外に延びるアンテナ部分の長さは、基本的には、ダイポールアンテナ３の全長の１／２で済む。従って、本形態によれば、ケース２０から外に延びるアンテナ部分が短いので、携帯に便利であり、かつ、高いアンテナ利得を得ることができるなど、実施の形態１と同様な効果を奏する。
【００５５】
さらに、本形態では、チューナー部６２と電池５１との間に延長コイル３６を配置したため、この延長コイル３６がアンテナ体として機能する寸法だけは、第２のアンテナ体として配置した電池５１、５２の総長さ寸法が短くてよい。それ故、電池５１、５２を小型化したときでも、十分に高いアンテナ利得を確保できる。
【００５６】
［実施の形態７］
図１０は、本発明の実施の形態７に係るテレビジョン受信機１における特徴部分を示す説明図である。
【００５７】
図１０において、本形態のテレビジョン受信機１も、基本的な構成が実施の形態５と同様であり、ケース２０の内部に配置された２本の電池５１、５２は、一方の極５１１がチューナー部６２に電気的に接続されているため、ロッドアンテナ３１′と反対側に延びる第２のアンテナ体として機能する。また、実施の形態６と同様、チューナー部６２と電池５１の一方の極５１１との間には、直流分をカットするキャパシタ６６とともに、延長コイル３６（第１の延長コイル）が配置されている。
【００５８】
さらに、本形態では、ロッドアンテナ３１′の長さをより短くするために、ロッドアンテナ３１′とチューナー部６２との間にも延長コイル３７（第２の延長コイル）が配置されている。
【００５９】
このように、本形態でも、ダイポールアンテナ３を用いているため、ケース２０内に広いグランド面を確保しなくてもよいので、装置本体２の小型化を図ることができる。また、２つの電池５１、５２を第２のアンテナ体として利用し、かつ、ロッドアンテナ３１′に延長コイル３７を接続したので、ケース２０から外に延びるアンテナ部分の長さは、ダイポールアンテナ３の全長の１／２よりも、更に延長コイル３７がアンテナ体として機能する分の寸法だけ短くて済む。従って、本形態によれば、ケース２０から外に延びるアンテナ部分がより一層短いので、携帯に便利であり、かつ、高いアンテナ利得を得ることができる。
【００６０】
また、本形態では、チューナー部６２と電池５１との間に延長コイル３６を配置したため、この延長コイル３６がアンテナ体として機能する寸法だけは、第２のアンテナ体として配置した電池５１、５２の総長さ寸法が短くてよい。
【００６１】
［実施の形態８］
図１１は、本発明の実施の形態８に係るテレビジョン受信機１における特徴部分を示す説明図である。
【００６２】
図１１において、本形態のテレビジョン受信機１も、基本的な構成が実施の形態５と同様であり、ケース２０の内部に配置された２本の電池５１、５２は、一方の極５１１がチューナー部６２に電気的に接続されているため、長さ１６ｃｍのロッドアンテナ３１と反対側に延びる第２のアンテナ体として機能する。
【００６３】
また、実施の形態６と同様、チューナー部６２と電池５１の一方の極５１１との間には、直流分をカットするキャパシタとともに、４ｃｍのアンテナ長に相当する延長コイル３６が配置されている。
【００６４】
本形態において、延長コイル３６は、可変コイルであり、そのインダクタンスを変えることができる。本形態では、外部操作によってＵＨＦ帯のハイチャンネルあるいはローチャンネルのいずれが選局されたかによって、延長コイル３６のインダクタンスを変える。
【００６５】
このように、本形態でも、ダイポールアンテナ３を用いているため、ケース２０内に広いグランド面を確保しなくてもよいので、装置本体２の小型化を図ることができる。また、２つの電池５１、５２を第２のアンテナ体として利用し、かつ、それに延長コイル３６を接続したので、ケース２０から外に延びるアンテナ部分の長さは、基本的には、ダイポールアンテナ３の全長の１／２で済むなど、実施の形態１と同様な効果を奏する。
【００６６】
さらに、延長コイル３６は、ＵＨＦ帯のハイチャンネルあるいはローチャンネルのいずれが選局されたかによって、インダクタンスを変えるようになっているので、ＵＨＦ帯のハイチャンネルを受信するとき延長コイル３６をそのまま用いるとアンテナ長が長すぎるという問題を回避できるので、ＵＨＦ帯のハイチャンネルおよびローチャンネルのいずれをも良好に受信できる。
【００６７】
［実施の形態９］
図１２は、本発明の実施の形態９に係るテレビジョン受信機１における特徴部分を示す説明図である。
【００６８】
図１２において、本形態のテレビジョン受信機１では、実施の形態６、７で説明した延長コイル３６、３７に対して、選局結果に基いて延長コイル３６、３７の全体を回路的に無効にする切り換え回路８が構成されている。この切り換え回路８として、本形態では、延長コイル３６、３７に対して並列に電気的に接続するダイオード８１が用いられ、このダイオード８１の各端子と延長コイル３６、３７の各端部との間にはキャパシタ８３、８４が接続されている。また、ダイオード８１の陽極には、ＵＨＦ帯のハイチャンネルを選局したときにチューナー部６２からプラスのバイアスが印加されるように構成されている。
【００６９】
このため、ＵＨＦ帯のハイチャンネルを選局したときにダイオード８１にプラスのバイアスが印加され、延長コイル３６、３７の両端が短絡した状態になり、この状態において、延長コイル３６、３７は、回路的に無効になる。それ故、ＵＨＦ帯のハイチャンネルを受信するとき延長コイル３６、３７をそのまま用いるとアンテナ長が長すぎるという問題を回避できるので、ＵＨＦ帯のハイチャンネルを良好に受信できる。
【００７０】
なお、本形態では、ダイオード８１が延長コイル３６、３７の全体に並列に接続されていたが、ダイオード８１を延長コイル３６、３７の一部に対して並列に接続しておけば、延長コイル３６、３７の一部のみを回路的に無効にすることができる。
【００７１】
【発明の効果】
以上説明したように、本発明では、アンテナとしてダイポールアンテナを用いるとともに、このアンテナ体を構成する第１のアンテナ体および第２のアンテナ体のうち、第２のアンテナ体については、受信装置のケース内に配置する。このため、本発明によれば、モノポールアンテナを用いる場合と違って、ケース内に広いグランド面を確保しなくても、高いアンテナ利得を得ることができる。また、アンテナ利得の面からダイポールアンテナの長さを十分に確保したとしても、本発明では、ダイポールアンテナを構成する第１のアンテナ体および第２のアンテナ体のうち、第２のアンテナ体についてはケース内に配置するので、ケースから外に延びるアンテナ部分の長さは、基本的には、ダイポールアンテナの全長の１／２で済む。従って、本発明によれば、ケースから外に延びるアンテナ部分が短いので、携帯に便利であり、かつ、高いアンテナ利得を得ることができる。
【図面の簡単な説明】
【図１】（Ａ）、（Ｂ）、（Ｃ）は各々、本発明が適用されるテレビジョン受信機の外観を示す平面図、左側面図および右側面図である。
【図２】図１に示すテレビジョン受信機内部の要部の構成を示す説明図である。
【図３】図１に示すテレビジョン受信機の回路構成の要部を示すブロック図である。
【図４】本発明の実施の形態１に係るテレビジョン受信機における特徴部分を示す説明図である。
【図５】本発明の実施の形態２に係るテレビジョン受信機における特徴部分を示す説明図である。
【図６】本発明の実施の形態３に係るテレビジョン受信機における特徴部分を示す説明図である。
【図７】本発明の実施の形態４に係るテレビジョン受信機における特徴部分を示す説明図である。
【図８】本発明の実施の形態５に係るテレビジョン受信機における特徴部分を示す説明図である。
【図９】本発明の実施の形態６に係るテレビジョン受信機における特徴部分を示す説明図である。
【図１０】本発明の実施の形態７に係るテレビジョン受信機における特徴部分を示す説明図である。
【図１１】本発明の実施の形態８に係るテレビジョン受信機における特徴部分を示す説明図である。
【図１２】本発明の実施の形態９に係るテレビジョン受信機における特徴部分を示す説明図である。
【符号の説明】
１  テレビジョン受信機
２  受信装置本体
３  ダイポールアンテナ
４  液晶装置
６  回路基板
８  切り換え回路
１２  選局用のチャンネルボタン
１３  スピーカ
１４  明るさ調整スイッチ
１５  ＡＶ入力部
１６  電源スイッチ
１７  バックライト点灯スイッチ
１８  蓋
２０  ケース
３１、３１′  ロッドアンテナ
３２  棒状のアンテナエレメント（第２のアンテナ体）
３３  回路基板上の導電パターン（第２のアンテナ体）
３４  始動性改善電極（第２のアンテナ体）
３５  めっき層（第２のアンテナ体）
３６  第１の延長コイル
３７  第２の延長コイル
４１  表示部
４５  蛍光管
５１、５２  電池（第２のアンテナ体）
６１  電源回路
６２  チューナー
６３  復調回路
６９  電子部品
６６  キャパシタ
６７、６８  チョークコイル
８１  ダイオード
【図１】
0003755374.tif 000002
【図２】
0003755374.tif 000003
【図３】
0003755374.tif 000004
【図４】
0003755374.tif 000005
【図５】
0003755374.tif 000006
【図６】
0003755374.tif 000007
【図７】
0003755374.tif 000008
【図８】
0003755374.tif 000009
【図９】
0003755374.tif 000010
【図１０】
0003755374.tif 000011
【図１１】
0003755374.tif 000012
【図１２】
0003755374.tif 000013